(57)【特許請求の範囲】
【請求項１】
レンズを保持するレンズ保持部と、
前記レンズ保持部を前記レンズの光軸方向と平行な方向に駆動するリードスクリュウと、
前記リードスクリュウに結合された駆動軸を有して前記リードスクリュウに駆動力を与えるモータと、
前記モータおよび前記リードスクリュウを収容するケースと、
前記リードスクリュウの軸方向について前記ケースの一端で前記ケースを片持ち支持しつつ、前記ケースと一体的に前記光軸方向に移動する可動部材と
を備えるレンズ鏡筒。
【請求項２】
前記可動部を、前記光軸方向に移動可能に支持する固定筒を更に備える請求項１に記載のレンズ鏡筒。
【請求項３】
前記固定筒は、前記可動部が前記光軸方向に移動する際に、前記軸方向について前記ケースの他端を、前記ケースに接することなく収容する収容部を更に備える請求項２に記載のレンズ鏡筒。
【請求項４】
前記ケースは、前記リードスクリュウを前記レンズに対して覆い隠す請求項１から請求項３までのいずれか一項に記載のレンズ鏡筒。
【請求項５】
前記ケースは、前記レンズに入射する反射光を抑制する光学的特性を有する請求項１から請求項４までのいずれか一項に記載のレンズ鏡筒。
【請求項６】
前記モータは、ブラケットを介して、前記ケースに接することなく前記ケースから支持される請求項１から請求項５までのいずれか一項に記載のレンズ鏡筒。
【請求項７】
前記可動部材は、前記レンズに入射する光束を内側に通過させる環状部を有する請求項１から請求項６までのいずれか一項に記載のレンズ鏡筒。
【請求項８】
前記可動部材は、前記レンズ保持部が保持するレンズとは別のレンズを前記環状部の内側に保持して、当該レンズと共に前記光軸と平行な方向に移動する請求項７に記載のレンズ鏡筒。
【請求項９】
前記モータは、前記ケースが前記環状部に結合された側において、前記ケースに収容される請求項７または請求項８に記載のレンズ鏡筒。
【請求項１０】
請求項１から請求項９までのいずれか一項に記載のレンズ鏡筒と、
前記レンズ鏡筒の光学系を通じて入射した像光を撮像する撮像素子と
を備える撮像装置。
【発明の詳細な説明】
【技術分野】
【０００１】
本発明は、レンズ鏡筒および撮像装置に関する。
【背景技術】
【０００２】
レンズ鏡筒において、ステッピングモータに部材を圧接させて、動作に伴って生じる振動を抑制することが提案されている（特許文献１、引用文献２参照）。
［特許文献１］  特開平０５−２８８９７５号公報
［特許文献２］  特開平１１−３１１７３４号公報
【発明の概要】
【発明が解決しようとする課題】
【０００３】
しかしながら、上記構造による振動抑制の効果は十分ではなく、残った振動がレンズ鏡筒の表面に伝播することを防止できなかった。
【課題を解決するための手段】
【０００４】
本発明の第一態様として、レンズを保持するレンズ保持部と、レンズ保持部をレンズの光軸方向と平行な方向に駆動する駆動軸と、駆動軸に駆動力を与えるモータと、モータおよび駆動軸を収容するケースと、駆動軸の軸方向についてケースの一端でケースを片持ち支持しつつ、ケースと一体的に光軸方向に移動する可動部材とを備えるレンズ鏡筒が提供される。
【０００５】
本発明の第二態様として、上記レンズ鏡筒と、レンズ鏡筒の光学系を通じて入射した像光を撮像する撮像素子とを備える撮像装置が提供される。
【０００６】
上記発明の概要は、本発明の必要な特徴の全てを列挙したものではない。これらの特徴群のサブコンビネーションもまた発明となり得る。
【図面の簡単な説明】
【０００７】
【図１】一眼レフカメラ１００の模式的断面図である。
【図２】一眼レフカメラ１００の模式的断面図である。
【図３】レンズユニット２００の模式的断面図である。
【図４】移動筒２８０の斜視図である。
【図５】移動筒２８０の斜視図である。
【図６】アクチュエータ組立体２９０の斜視図である。
【図７】アクチュエータ組立体２９０の斜視図である。
【図８】レンズユニット２００の内部構造を部分的に示す斜視図である。
【図９】レンズユニット２００の模式的断面図である。
【発明を実施するための形態】
【０００８】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【０００９】
図１は、レンズユニット２００の模式的断面図である。一眼レフカメラ１００は、レンズユニット２００およびカメラボディ３００を備える。図１において、一眼レフカメラ１００に装着されたレンズユニット２００は、全長が伸びた伸胴状態にある。
【００１０】
なお、説明を簡潔にする目的で、以降の説明においては、カメラボディ３００に装着したレンズユニット２００に対して物体側を、一眼レフカメラ１００の前側または先側と記載する。また、レンズユニット２００に対して物体から遠い側を、一眼レフカメラ１００における後側または背面側と記載する。
【００１１】
レンズユニット２００は、固定筒２１０、第一レンズ群２２０〜第五レンズ群２６０までの複数のレンズ群、複数のアクチュエータ２１１、２５１、２６１、２９１、移動筒２８０を有する。レンズユニット２００は、固定筒２１０の後端に設けられたレンズ側マウント部２７０により、カメラボディ３００のボディ側マウント部３６０に結合される。これにより、固定筒２１０はカメラボディ３００に対して固定される。
【００１２】
レンズ側マウント部２７０およびボディ側マウント部３６０の結合は、予め定められた操作に従って解除できる。これにより、カメラボディ３００には、同じ規格のレンズ側マウント部２７０を有する他のレンズユニット２００を装着できる。
【００１３】
レンズユニット２００において、移動筒２８０は、前後方向、即ち、光軸Ｘと平行な方向に移動可能に、固定筒２１０から支持される。移動筒２８０が移動することにより、レンズユニット２００の全長が変化する。伸胴状態のレンズユニット２００においては、移動筒２８０が固定筒２１０に対して前進して全長が長くなっている。これにより、第一レンズ群２２０〜第五レンズ群２６０は、予め定められた間隔で光軸Ｘに沿って配されて光学系を形成する。
【００１４】
第一レンズ群２２０は、第一保持枠２２２に保持され、移動筒２８０の先端に固定される。よって、第一レンズ群２２０は、移動筒２８０が移動した場合に、移動筒２８０と共に光軸Ｘ方向に移動する。移動筒２８０の内側は空洞であり、伸胴状態のレンズユニット２００において第一レンズ群２２０に入射した入射光束は、移動筒２８０の内側を通過して第二レンズ群２３０に至る。
【００１５】
ただし、伸胴状態のレンズユニット２００において光学系が合焦または変倍する場合、第一レンズ群２２０は移動しない。第一レンズ群２２０および移動筒２８０は、レンズユニット２００が伸胴状態と縮胴状態との間で変化する場合に移動する。
【００１６】
第二レンズ群２３０は、第一レンズ群２２０とは別に、第二保持枠２３２により保持される。第二保持枠２３２は、係合部２３６により案内軸２８２に係合し、案内軸２８２に沿って移動可能に支持される。また、第二保持枠２３２は、リードスクリュウ２９３に噛み合う螺合部２３４に結合される。
【００１７】
なお、案内軸２８２の前端は移動筒２８０に対して固定されている。よって、移動筒２８０が光軸Ｘ方向に移動する場合は、案内軸２８２も光軸Ｘ方向に移動する。この場合、案内軸２８２から支持されている第二保持枠２３２および第二レンズ群２３０も共に移動する。
【００１８】
更に、移動筒２８０が前進した伸胴状態のレンズユニット２００において、アクチュエータ２９１がリードスクリュウを回転駆動した場合、第二保持枠２３２は第二レンズ群２３０を保持しつつ光軸Ｘと平行な方向に移動する。第二レンズ群２３０は、レンズユニット２００の光学系が変倍または合焦する場合に移動する。なお、アクチュエータ２９１およびリードスクリュウ２９３は、ブラケット２９５により支持されている。
【００１９】
第三レンズ群２４０は、第三保持枠２４２に保持される。第三保持枠２４２は、結合筒２４４に支持される。結合筒２４４は、固定筒２１０に対して固定されている。よって、第三レンズ群２４０は、レンズユニット２００が伸胴状態と縮胴状態の間で変化する場合も、レンズユニット２００が変倍または合焦する場合も、固定筒２１０に対して移動しない。
【００２０】
結合筒２４４は、防振レンズ２４１を保持した可動保持枠２４３と、絞りユニット２４９も支持する。防振レンズ２４１は、光軸Ｘと交差する方向に移動して、手振れ等による像のぶれを補償する。更に、結合筒２４４は、図中で下側に位置する周方向の一部において、外径を縮小して収容部２４６を形成する。収容部２４６は、アクチュエータ２９１およびリードスクリュウ２９３の後方に位置する。
【００２１】
第四レンズ群２５０および第五レンズ群２６０は、それぞれ、第四保持枠２５２および第五保持枠２６２により保持される。第四保持枠２５２および第五保持枠２６２は、一対の案内軸２８４、２８６に対してそれぞれ嵌合または係合すると共に、それぞれ、螺合部２５４、２６４においてリードスクリュウ２５３、２６３と噛み合う。
【００２２】
これにより、アクチュエータ２５１、２６１がリードスクリュウ２５３、２６３を回転駆動した場合に、第四レンズ群２５０および第五レンズ群２６０は、それぞれ光軸Ｘ方向に移動する。第四レンズ群２５０および第五レンズ群２６０は、レンズユニット２００の光学系が変倍または合焦する場合に移動する。
【００２３】
カメラボディ３００は、ボディ側マウント部３６０の後方に配されたミラーユニット３７０を備える。ミラーユニット３７０の下方には合焦光学系３８０が配される。ミラーユニット３７０の上方にはフォーカシングスクリーン３５２が配される。
【００２４】
フォーカシングスクリーン３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。
【００２５】
ミラーユニット３７０の後方には、シャッタユニット３１０、ローパスフィルタ３３２、撮像素子３３０、基板３２０および表示部３４０が順次配される。液晶表示板等により形成される表示部３４０は、カメラボディ３００の背面に表われる。基板３２０には、制御部３２２および画像処理部３２４等が実装される。
【００２６】
ミラーユニット３７０は、メインミラー３７１およびサブミラー３７４を含む。メインミラー３７１は、メインミラー回動軸３７３により軸支されたメインミラー保持枠３７２に支持される。
【００２７】
サブミラー３７４は、サブミラー回動軸３７６により軸支されたサブミラー保持枠３７５に支持される。サブミラー保持枠３７５は、メインミラー保持枠３７２に対して回動する。よって、メインミラー保持枠３７２が回動した場合、サブミラー保持枠３７５もメインミラー保持枠３７２と共に変位する。
【００２８】
メインミラー保持枠３７２の前端が降下した場合、メインミラー３７１は、レンズユニット２００から入射した入射光束上に斜めに位置する。メインミラー保持枠３７２が上昇した場合、メインミラー３７１は、入射光束を避けた位置に退避する。
【００２９】
メインミラー３７１が入射光束上に位置する場合、レンズユニット２００を通じて入射した入射光束は、メインミラー３７１に反射されてフォーカシングスクリーン３５２に導かれる。フォーカシングスクリーン３５２は、レンズユニット２００の光学系と共役な位置に配されて、レンズユニット２００の光学系が形成した像を可視化する。
【００３０】
フォーカシングスクリーン３５２上の像は、ペンタプリズム３５４およびファインダ光学系３５６を通じてファインダ３５０から観察される。ここで、ペンタプリズム３５４を通じて像を観察することにより、ファインダ３５０からは正立正像を観察できる。
【００３１】
測光センサ３９０は、ファインダ光学系３５６の上方に配され、分岐されさた入射光束の一部を受光する。測光センサ３９０は、被写体輝度を検出して、制御部３２２に撮影条件の一部である露出条件を算出させる。
【００３２】
メインミラー３７１は、入射光束の一部を透過するハーフミラー領域を有する。サブミラー３７４は、ハーフミラー領域から入射した入射光束の一部を、合焦光学系３８０に向かって反射する。合焦光学系３８０は、入射した入射光束の一部を焦点検出センサ３８２に導く。これにより、制御部３２２は、レンズユニット２００の光学系を合焦させる場合に移動するレンズの目標位置を決定する。
【００３３】
上記のような一眼レフカメラ１００においてレリーズボタンが半押しされると、焦点検出センサ３８２および測光センサ３９０が有効になり、被写体像を適切な撮影条件で撮影できる状態になる。次いで、レリーズボタンが全押しされると、メインミラー３７１およびサブミラー３７４が退避位置に移動して、シャッタユニット３１０が開く。これにより、レンズユニット２００から入射した入射光束は、ローパスフィルタ３３２を通過して、撮像素子３３０に入射する。
【００３４】
図２は、一眼レフカメラ１００の模式的断面図である。図２に示す一眼レフカメラ１００において、レンズユニット２００は縮胴状態にある。図２において、図１と共通の要素には同じ参照番号を付して重複する説明を省く。
【００３５】
縮胴状態のレンズユニット２００においては、移動筒２８０がカメラボディ３００に接近している。これにより、移動筒２８０の先端に保持された第一レンズ群２２０も後退して、移動しない第三レンズ群２４０に接近する。また、移動筒２８０と共に案内軸２８２も後退するので、案内軸２８２に支持された第二レンズ群２３０も案内軸２８２と共に後退する。
【００３６】
更に、アクチュエータ２９１、リードスクリュウ２９３およびブラケット２９５も、移動筒２８０と共に後退する。このため、縮胴状態のレンズユニット２００においては、リードスクリュウ２９３の後端付近が、結合筒２４４の収容部２４６に入り込んでいる。換言すれば、リードスクリュウ２９３の後端付近が第三レンズ群２４０、第四レンズ群２５０および第五レンズ群２６０の側方に入り込むことにより、縮胴状態のレンズユニット２００は全長を短縮している。
【００３７】
第四レンズ群２５０および第五レンズ群２６０は、固定された第三レンズ群２４０よりも後方に位置するので、レンズユニット２００が伸胴状態から縮胴状態に変化する場合に移動しなくてもよい。しかしながら、次に伸胴した場合に、レンズユニット２００を迅速に使用できる状態に遷移させる目的で、レンズユニット２００を縮胴状態する動作の一部として、第四レンズ群２５０および第五レンズ群２６０を初期位置に移動させてもよい。
【００３８】
このように、縮胴状態のレンズユニット２００においては、第一レンズ群２２０、第二レンズ群２３０およびアクチュエータ２９１が後退して相互の間隔を詰め、レンズユニット２００の全長を短縮している。これにより、レンズユニット２００の携帯の便宜が図られる。
【００３９】
図３は、伸胴状態のレンズユニット２００を単独で拡大して示す模式的断面図である。図１および図２と共通の要素には同じ参照番号を付して重複する説明を省く。
【００４０】
レンズユニット２００において、駆動環２１５は、レンズユニット２００の径方向外側に向かって突出する駆動ピン２１７を外周面に有する。駆動ピン２１７は、レンズユニット２００の周方向に固定筒２１０の一部に形成された周方向溝２１２を通じて結合筒２４４の外側に突出する。駆動ピン２１７の先端は、移動筒２８０の内面に形成されたリード溝２８３に係合する。
【００４１】
図４および図５は、レンズユニット２００から取り外した移動筒２８０単独の斜視図である。図５は、移動筒２８０を、図４とは異なる角度から見た様子を示す。図１から図３までと共通の要素には同じ参照番号を付して重複する説明を省く。
【００４２】
移動筒２８０は、全体としては円筒形をなし、径方向内側に向かって突出するフランジ部２７９を前端に有する。フランジ部２７９は、入射光束に内側を通過させる程度の開口を残している。また、フランジ部２７９は、光軸Ｘと平行な方向に形成された複数のねじ穴２８７および軸挿通穴２８９を有する。軸挿通穴２８９には、案内軸２８２の前端が挿通されて固定される。
【００４３】
移動筒２８０の円筒部分の内面には、複数のリード溝２８１、２８３と、複数の直線状のキー溝２８５とが配される。リード溝２８３は、光軸Ｘと交差する方向に傾斜する形状を有する。キー溝２８５は、光軸Ｘと平行な方向に配される。
【００４４】
キー溝２８５は、図３に示した結合筒２４４の一部から突出する案内ピンと係合する。案内ピンは固定筒２１０に対して固定されており、直線状のキー溝２８５と係合することにより、移動筒２８０が光軸Ｘの回りを回転することを規制する。
【００４５】
よって、アクチュエータ２１１がピニオンギア２１３を回転させると、駆動環２１５と共に回転する駆動ピン２１７とリード溝２８３が協働して、移動筒２８０を光軸Ｘの方向に移動させる。これにより、レンズユニット２００は、アクチュエータ２１１の回転方向に応じて、縮胴状態から伸胴状態へ、あるいは、伸胴状態から縮胴状態へと変化する。
【００４６】
アクチュエータ２１１としては、出力トルクの大きなＤＣモータを好ましく用いることができる。ＤＣモータは、動作に伴って無視し得ない動作音を発生するが、撮影中に移動筒２８０を移動させることはないので差し支えない。
【００４７】
伸胴状態のレンズユニット２００においては、第一レンズ群２２０と第三レンズ群２４０との間に広い空間が生じる。よって、第二レンズ群２３０は、変倍または合焦のために大きく移動できる。第二レンズ群２３０は、アクチュエータ２９１の生じる駆動力により移動する。アクチュエータ２９１としては、動作量を精度よく制御できるステッピングモータ等を好ましく使用できる。
【００４８】
なお、第二レンズ群２３０は、第四レンズ群２５０および第五レンズ群２６０に比較すると質量の大きな大径のレンズを含む。よって、第二レンズ群２３０を移動させるアクチュエータ２９１は、第四レンズ群２５０および第五レンズ群２６０を移動させるアクチュエータ２５１、２６１よりも出力の大きいものを用いる。このため、アクチュエータ２９１が生じる振動も、アクチュエータ２５１、２６１よりも大きい。
【００４９】
リードスクリュウ２９３の前端は、アクチュエータ２９１の駆動軸に結合される。また、リードスクリュウ２９３の後端は、ブラケット２９５の後端により支持される。また、アクチュエータ２９１は、ブラケット２９５の前端に支持されている。これにより、アクチュエータ２９１、リードスクリュウ２９３およびブラケット２９５は一体化される。
【００５０】
図６は、アクチュエータ組立体２９０の斜視図である。アクチュエータ組立体２９０は、上記の一体化されたアクチュエータ２９１、リードスクリュウ２９３およびブラケット２９５に加えてケース部材２９８を有する。
【００５１】
ブラケット２９５は、止めねじ２９４によりケース部材２９８に対して固定される。これにより、ブラケット２９５に対して一体化されているアクチュエータ２９１およびリードスクリュウ２９３がケース部材２９８から支持される。こうして、アクチュエータ２９１、リードスクリュウ２９３、ブラケット２９５およびケース部材２９８を一体化したアクチュエータ組立体２９０が形成される。
【００５２】
ケース部材２９８は、シェル部２９７および環状部２９９を有する。シェル部２９７は、アクチュエータ２９１、リードスクリュウ２９３およびブラケット２９５を収容する空洞を有する。また、シェル部２９７は、リードスクリュウ２９３の長手方向、即ち、アクチュエータ２９１の軸方向の一端において、環状部２９９に対して結合される。
【００５３】
環状部２９９は、円形の開口を有し、周方向の一部においてシェル部２９７の一端に結合される。環状部２９９の開口の周囲には、照射された光の反射角度を分散させる反射防止部２７７が設けられる。
【００５４】
アクチュエータ組立体２９０は、図３に示したように、ケース部材２９８の環状部２９９を、移動筒２８０のフランジ部２７９に対して止めねじ２９２でねじ止めすることにより、移動筒２８０に対して固定される。これにより、ケース部材２９８は、移動筒２８０に対して固定され、移動筒２８０の移動と共にケース部材２９８も移動する。また、環状部２９９は、レンズユニット２００に対する入射光束の光路の周囲を包囲して入射光束を内側に通過させる。
【００５５】
また、環状部２９９は、第一レンズ群２２０を保持する第一保持枠２２２と第二レンズ群２３０を保持する第二保持枠２３２との間に生じる間隙を光学的に閉鎖する。即ち、レンズユニット２００を前側から見た場合に、第一保持枠２２２と第二保持枠２３２との間には、環状部２９９の反射防止部２７７が現れる。これにより、レンズユニット２００におけるフレアの発生が防止される。
【００５６】
ケース部材２９８のシェル部２９７は、図３にも示したように、ブラケット２９５を介して直接に接することなくアクチュエータ２９１およびリードスクリュウ２９３を支持する。よって、アクチュエータ２９１が動作した場合に生じる振動は、ブラケット２９５に伝播した上で、ケース部材２９８のシェル部２９７に伝播する。
【００５７】
これにより、アクチュエータ２９１からシェル部２９７に伝播した振動は、シェル部２９７、環状部２９９および移動筒２８０に順次伝播する。よって、これらの振動の受け渡しに伴って伝播される振動は漸減する。
【００５８】
また、シェル部２９７は、長手方向の一端において環状部２９９に結合される。更に、ケース部材２９８は、環状部２９９を移動筒２８０に対して固定される。よって、シェル部２９７は、環状部２９９に結合された一端を揺動軸として揺動を生じやすい取り付け構造を有する。
【００５９】
更に、アクチュエータ２９１は、リードスクリュウ２９３よりも環状部２９９に近い側に配される。ただし、アクチュエータ２９１とシェル部２９７は直接に接していない。よって、アクチュエータ２９１において生じた振動は、ブラケット２９５を通じてシェル部２９７に伝達される。このような構造により、アクチュエータ２９１において生じた振動エネルギーの一部は、シェル部２９７を揺動させることにより消尽され、環状部２９９に伝播される振動は減衰する。
【００６０】
なお、リードスクリュウ２９３から螺合部２３４を通じて第二保持枠２３２に伝達される駆動力は、専ら、光軸Ｘと平行な方向に作用する。一方、一端で保持されたシェル部２９７に生じる振動は、光軸Ｘと略直交する方向に作用する。更に、螺合部２３４は、付勢部材により付勢されたラック歯を弾性的にリードスクリュウ２９３に押し付けている。よって、アクチュエータ２９１の振動により生じた振動が第二保持枠２３２の移動量の制御精度に与える影響は無視できる。
【００６１】
図７は、アクチュエータ組立体２９０を他の角度から見た様子を示す斜視図である。図６と共通の要素には同じ参照番号を付して重複する説明を省く。
【００６２】
図７に示すアクチュエータ組立体２９０は、ケース部材２９８のシェル部２９７を、レンズユニット２００の光軸Ｘの側から見た様子を示す。図示のように、シェル部２９７において、レンズユニット２００の内側に面した表面には無反射面２９６が配される。
【００６３】
無反射面２９６は、マットブラックの塗装膜により形成することもできる。また、モルトプレン（登録商標）等の無反射材料を貼り付けても無反射面２９６を形成できる。
【００６４】
リードスクリュウ２９３、アクチュエータ２９１の駆動軸等のように、表面に金属光沢を有する部材は、シェル部２９７によりレンズユニット２００の光学系から覆い隠されている。これにより、レンズユニット２００の光学系内部の迷光を抑制できる。更に、シェル部２９７の外面に無反射面２９６を設けたことにより内面反射を抑制させてフレアを防止できる。
【００６５】
また、リードスクリュウ２９３および光学系の間は、ケース部材２９８のシェル部２９７により遮断される。よって、リードスクリュウ２９３に付着した潤滑剤が、リードスクリュウ２９３の回転により光学系に飛散することを防止できる。よって、光学系が清浄に保たれ、所期の特性を長期間にわたって維持できる。
【００６６】
図８は、レンズユニット２００の内部構造の一部を示す斜視図である。他の図と共通の要素には同じ参照番号を付して重複する説明を省く。
【００６７】
ただし、図１および図３と比較すると、レンズユニット２００が光軸Ｘの回りに約１８０°回転している。これにより、アクチュエータ組立体２９０におけるケース部材２９８のシェル部２９７が図中の上側に位置している。
【００６８】
図８に示す内部構造は、レンズユニット２００から、固定筒２１０および移動筒２８０を外した状態を示す。図中の右側には、固定筒２１０に対して固定される結合筒２４４が位置している。また、図中左側には、結合筒２４４に対して光軸Ｘ方向に移動するアクチュエータ組立体２９０が配される。
【００６９】
図示のように、第二保持枠２３２は、一対の案内軸２８２、２８６に対して、係合部２３６および嵌合部２３８において、光軸Ｘ方向に移動可能に支持される。即ち、第二保持枠２３２は、案内軸２８８の外径と略同じ内径の嵌合穴を有する嵌合部２３８に案内軸２８８を挿通することにより、案内軸２８８と嵌合する。このような、嵌合部２３８は、案内軸２８８に沿って移動する。
【００７０】
また、第二保持枠２３２は、案内軸２８２の直径に略等しい間隔の対向面を有する係合部２３６により、案内軸２８２に対して係合する。これにより、第二保持枠２３２が、案内軸２８８を回転軸として回転することが抑止される。
【００７１】
更に、嵌合部２３８からは、レンズユニット２００の周方向に連結部２３９が延在する。連結部２３９は、ケース部材２９８のシェル部２９７側面に設けられたスリットからシェル部２９７の内部まで延在し、リードスクリュウ２９３に噛み合う螺合部２３４に結合される。このような構造により、アクチュエータ２９１が動作した場合、リードスクリュウ２９３から螺合部２３４に伝達された駆動力により、第二保持枠２３２は、傾くことなく、また、光軸Ｘと交差する方向にぶれることなく、光軸Ｘ方向に移動する。
【００７２】
また、図８では、ケース部材２９８の後端が、結合筒２４４に形成された収容部２４６に進入し始めている様子が示される。即ち、シェル部２９７の後端は、収容部２４６の内面に接触することなく、収容部２４６の内側に入り込んでいる。
【００７３】
図９は、レンズユニット２００の模式的断面図である。他の図と共通の要素には同じ参照番号を付して重複する説明を省く。
【００７４】
図９に示すレンズユニット２００は縮胴状態にある。即ち、図３に示した伸胴状態から、アクチュエータ２１１を動作させて駆動環２１５を回転させることにより、移動筒２８０を後退させる。移動筒２８０の後退に伴って第一レンズ群２２０が後退し、レンズユニット２００の全長が短くなる。
【００７５】
案内軸２８２の前端は、移動筒２８０に対して結合されている。また、案内軸２８２は、固定筒２１０から摺動可能に支持されている。第二保持枠２３２は、このような案内軸２８２から支持されている。また、既に説明した通り、リードスクリュウ２９３およびアクチュエータ２９１は、ブラケット２９５を介してケース部材２９８に結合され、ケース部材２９８は移動筒２８０に固定される。
【００７６】
よって、アクチュエータ２１１が動作して移動筒２８０と共に第一保持枠２２２が光軸Ｘ方向に移動する場合、第二レンズ群２３０、第二保持枠２３２、案内軸２８２、リードスクリュウ２９３およびアクチュエータ２９１も共に移動する。これにより、移動筒２８０が後退した場合はレンズユニット２００が縮胴状態になる。
【００７７】
こうして第一レンズ群２２０、第二レンズ群２３０および第三レンズ群２４０を相互に接近させ、レンズユニット２００の全長を短くした縮胴状態が形成される。これにより、携帯時にはレンズユニット２００を短縮して携帯の便宜を図ることができる。
【００７８】
なお、第二レンズ群２３０は移動筒２８０と共に移動するので、第二レンズ群２３０が案内軸２８２の後端に接近している場合は移動筒２８０が後退できない。よって、移動筒２８０が後退する場合は、移動筒２８０の移動開始前に、第二レンズ群２３０を第一レンズ群２２０に接近させる。
【００７９】
また、既に説明した通り、レンズユニット２００を縮胴状態にする場合は、第四レンズ群２５０および第五レンズ群２６０を初期位置に戻してもよい。更に、縮胴状態のレンズユニット２００においては動作しない防振レンズ２４１を固定してもよい。
【００８０】
上記のような縮胴状態のレンズユニット２００において、アクチュエータ組立体２９０のシェル部２９７は、結合筒２４４に形成された収容部２４６に入り込んでいる。また、シェル部２９７は、収容部２４６の内面に接触していない。よって、縮胴状態のレンズユニット２００においても、シェル部２９７の片持ち状態が維持されている。
【００８１】
ここまで、一眼レフカメラ１００を例にあげて説明したが、レンズユニット２００とカメラボディ３００が一体に形成されたカメラにおいても上記の構造を形成できる。また、メインミラー３７１を備えていない、ライブビュー専用のミラーレスカメラのレンズユニット２００においても同様の構造を形成できる。
【００８２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００８３】
１００  一眼レフカメラ、２００  レンズユニット、２１０  固定筒、２１１、２５１、２６１、２９１  アクチュエータ、２１２  周方向溝、２１３  ピニオンギア、２１５  駆動環、２１７  駆動ピン、２２０  第一レンズ群、２２２  第一保持枠、２３０  第二レンズ群、２３２  第二保持枠、２３４、２５４、２６４  螺合部、２３６  係合部、２３８  嵌合部、２３９  連結部、２４０  第三レンズ群、２４１  防振レンズ、２４２  第三保持枠、２４３  可動保持枠、２４４  結合筒、２４６  収容部、２４９  絞りユニット、２５０  第四レンズ群、２５２  第四保持枠、２５３、２６３、２９３  リードスクリュウ、２６０  第五レンズ群、２６２  第五保持枠、２７０  レンズ側マウント部、２７７  反射防止部、２７９  フランジ部、２８０  移動筒、２８１、２８３  リード溝、２８２、２８４、２８６、２８８  案内軸、２８５  キー溝、２８７  ねじ穴、２８９  軸挿通穴、２９０  アクチュエータ組立体、２９２、２９４  止めねじ、２９５  ブラケット、２９６  無反射面、２９７  シェル部、２９８  ケース部材、２９９  環状部、３００  カメラボディ、３１０  シャッタユニット、３２０  基板、３２２  制御部、３２４  画像処理部、３３０  撮像素子、３３２  ローパスフィルタ、３４０  表示部、３５０  ファインダ、３５２  フォーカシングスクリーン、３５４  ペンタプリズム、３５６  ファインダ光学系、３６０  ボディ側マウント部、３７０  ミラーユニット、３７１  メインミラー、３７２  メインミラー保持枠、３７３  メインミラー回動軸、３７４  サブミラー、３７５  サブミラー保持枠、３７６  サブミラー回動軸、３８０  合焦光学系、３８２  焦点検出センサ、３９０  測光センサ
【図１】
0005434973.tif 000002
【図２】
0005434973.tif 000003
【図３】
0005434973.tif 000004
【図４】
0005434973.tif 000005
【図５】
0005434973.tif 000006
【図６】
0005434973.tif 000007
【図７】
0005434973.tif 000008
【図８】
0005434973.tif 000009
【図９】
0005434973.tif 000010